(57)【特許請求の範囲】
【請求項１】
回転可能な液晶表示装置を有する折り畳み式携帯用移動通信端末器において、
前記液晶表示装置は、
内部に液晶表示画面が収容設置される液晶表示画面収容ケースと、
前記収容ケースが所定角度で回転可能に設置されるフォルダーボディーケースと、
前記収容ケースを前記フォルダーボディーケース上で回転可能に支持するシャフト部材と、
前記収容ケースが前記フォルダーボディーケース上で回転する時に案内するガイド手段と
を含み、
前記液晶表示画面収容ケースは、
前記液晶表示画面のデータが外部から見えるように中央部が透明材質からなるカバーと、
前記カバーと縁面が結合され、その中央部に孔が形成されて前記液晶表示画面と印刷回路基板とが連結され、前記孔の周縁から片方に突出した環状突出部が形成されるコンテナと
を含み、
前記フォルダーボディーケースは、
下面が開口したボディーと、前記ボディー中央部の前記収容ケースが位置する収容部と、前記収容部の中心部分に穿孔され、該孔を介して印刷回路基板が前記液晶表示画面と連結されるようにするための孔と、前記孔の周縁から一方向に所定高さ及び厚さで突出する環状突出部とを有するフォルダー上部ケースと、
前記フォルダー上部ケースの開口した下面に縁が結合される下部フォルダーケースと
を含み、
前記シャフト部材は、
環状リング部と、前記環状リング部の外周縁から一方向に延在する第１環状延長部と、前記環状リング部の内周縁から一方向に延在する第２環状延長部と、前記第２環状延長部上で周縁方向に所定長さで穿孔され、対称に形成される一対の結合孔とを有する上部シャフトと、
環状リング部と、前記環状リング部の外周縁から一方向に延在する環状延長部と、前記環状リング部の内周縁の所定部分から一方向に対称に延在する一対の延長部と、その延長部の端部を半径方向に折り曲げ延長される延長部を形成する結合片とを有する下部シャフトと
を具え、
前記上部シャフトは、前記コンテナ孔を介し、また、前記下部シャフトは前記フォルダー上部ケースの孔を介して互いに対向する方向に嵌め込まれ、前記下部シャフトの結合片が前記上部シャフトの結合孔に挿入され、これにより前記収容ケースと前記フォルダーボディーケースとは互いに平行状態に保たれることを特徴とする回転可能な液晶表示装置を有する移動通信端末器。
【請求項２】
前記フォルダー上部ケースの前記ボディーは直六面体形状を有し、前記フォルダー上部ケースの前記収容部は、前記ボディー中央部が下面方向に折り曲げ陥没されたところに形成されることを特徴とする請求項１に記載の回転可能な液晶表示装置を有する移動通信端末器。
【請求項３】
前記上部シャフトの第２環状延長部の直径は、前記コンテナ孔の直径より小さく、前記第１環状延長部の内周面と第２環状延長部の外周面との間の距離は、前記コンテナの環状突出部の厚さより大きく形成されることを特徴とする請求項１または２に記載の回転可能な液晶表示装置を有する移動通信端末器。
【請求項４】
前記下部シャフトの環状延長部の内周面とガイド結合片の外周面との間の距離は、前記上部ボディーケースの環状突出部の厚さより大きく形成されることを特徴とする請求項１から３のいずれかに記載の回転可能な液晶表示装置を有する移動通信端末器。
【請求項５】
前記ガイド手段は、前記液晶表示画面収容ケース背面に突出形成されるガイド突起と、
前記収容ケースが回転する時移動する前記ガイド突起の移動半径範囲で前記フォルダーボディーケースの上面から下部方向に陥没形成されるガイド溝と
を含むことを特徴とする請求項１から４のいずれかに記載の回転可能な液晶表示装置を有する移動通信端末器。
【請求項６】
前記ガイド溝の形成範囲は、角度９０度の範囲とすることを特徴とする請求項５に記載の回転可能な液晶表示装置を有する移動通信端末器。
【請求項７】
前記ガイド手段には、
前記液晶表示画面の位置に応じて画面に表れる資料を一定方向に表すように位置接地信号を印加する位置接地手段をさらに含むことを特徴とする請求項５または６に記載の回転可能な液晶表示装置を有する移動通信端末器。
【請求項８】
前記位置接地手段は、
前記ガイド溝に追って移動するガイド突起の移動方向面の各々に弾性設置され、前記印刷回路基板に回路的に連結されるスプリングピンと、
前記ガイド溝の両端部に各々対向して設置され、前記ガイド突起の移動完了により前記スプリングピンが接触され、前記印刷回路基板に回路的に連結される接地ポイントと
からなることを特徴とする請求項７に記載の回転可能な液晶表示装置を有する移動通信端末器。
【請求項９】
前記ガイド手段は、前記収容ケースの回転動作完了時前記液晶表示画面収容ケースを動作完了位置に固定させる固定手段をさらに含むことを特徴とする請求項５から８のいずれかに記載の回転可能な液晶表示装置を有する移動通信端末器。
【請求項１０】
前記固定手段は、
前記ガイド溝の各端部内壁面から対向するように突出する突出部と、
前記ガイド突起が前記ガイド溝の端部に位置する時、前記突出部が挿入されるように前記突出部に対応する形状に前記ガイド突起の接触面に形成される固定溝とを含むことを特徴とする請求項９に記載の回転可能な液晶表示装置を有する移動通信端末器。
【請求項１１】
前記突出部は、丸みをつけて形成されることを特徴とする請求項１０に記載の回転可能な液晶表示装置を有する移動通信端末器。
【発明の詳細な説明】
【０００１】
【発明の属する技術分野】
本発明は、回転可能な長方形形態の液晶表示装置（ＬＣＤ）を備えた移動通信端末器に関する。
【０００２】
【従来の技術】
近年移動通信技術の発達に伴って、携帯用移動通信端末器（以下、「移動通信端末器」と記す）が多く普及している。このような移動通信端末器市場の発達に伴って移動通信端末器自体の機能も向上されている。
【０００３】
特に、近年移動通信端末器の機能的な面のみならず、そのサイズにおいてもますます小型化している。
【０００４】
このように移動通信端末器の小型化を求めるとともにデータ通信の増加によるデータ表示及び動画をより效率的に見ることができるようにするために、携帯電話の液晶表示画面(Liquid Crystal Display)（以下、「ＬＣＤ」と記す）の大型化が要求されている。
【０００５】
図１は、一般的な液晶表示装置が設置された折り畳み式移動通信端末器を開けた状態を示す平面図である。
【０００６】
図１に示すように、一般的な折り畳み式移動通信端末器は、大きく本体部１と、フォルダー部２と、前記本体部１からフォルダー部２を開閉させるヒンジ装置３とから構成される。したがって、前記フォルダー部２は、前記本体部１でヒンジ装置３の回転軸（Ｉ）を中心として回転することで開閉される。
【０００７】
前記本体部１には、番号キー、電源キー、機能キーからなるキーパッド１ａ及び本体部１の最下端に位置するマイク１ｂを含む。
【０００８】
前記フォルダー部２は、その最上端にスピーカー２ａを含む受話口が位置し、前記受話口下側にデータ表示手段であるＬＣＤ４が位置する。
【０００９】
前記ＬＣＤ４は、携帯電話の外観サイズを考慮しながらそのＬＣＤ４の大きさを大きくするために、縦サイズＬ（以下、「長さ」と記す）が横サイズＷ（以下、「幅」と記す）より長い形態に形成されるが、これは一般的なＬＣＤ、すなわちコンピュータモニターやテレビなどと異なる形態であるので、利用者がＬＣＤに表示されたデータや動画を見る際に視覚的に不便さを感じるという問題点がある。
【００１０】
これを解決するために、従来、長さを幅より長くしたＬＣＤを設置し、利用時に携帯電話自体を９０度回転させ、回路的に９０度回転させた画面を見せる携帯電話が提案された。しかしながら、これは携帯電話を９０度回転させた状態でキー入力をする場合、ボタンに印刷された文字などは９０度回転した状態で見えるので、使用する上で不便さが発生し、しばしば誤入力が発生するという問題点がある。
【００１１】
【発明が解決しようとする課題】
そこで、本発明は、上記した従来の技術の問題点に鑑みてなされたものであって、折り畳み式移動通信端末器に用いられ、多量のデータの送受信や動画を見る時には、横幅が広い画面に転換されるように、液晶表示画面を回転させて設置することにより、視覚的に便利となるとともに、小型化が可能な回転可能な液晶表示装置を有する折り畳み式携帯用移動通信端末器を提供することを目的とする。
【００１２】
【課題を解決するための手段】
上記本発明の目的を達成するため、本発明は、回転可能な液晶表示装置を有する折り畳み式携帯用移動通信端末器において、前記液晶表示装置は、内部に液晶表示画面が収容設置される液晶表示画面収容ケースと、前記収容ケースが所定角度で回転可能に設置されるフォルダーボディーケースと、前記収容ケースを前記フォルダーボディーケース上で回転可能に支持するシャフト部材と、前記収容ケースが前記フォルダーボディーケース上で回転する時に案内するガイド手段とを含むことを特徴とする回転可能な液晶表示装置を有する移動通信端末器を提供する。
【００１３】
前記液晶表示画面収容ケースは、前記液晶表示画面のデータが外部から見えるように中央部が透明材質からなるカバーと、前記カバーと縁面が結合され、その中央部に孔が形成されて前記液晶表示画面と印刷回路基板とが連結され、前記孔の周縁から片方に突出した環状突出部が形成されるコンテナとを含む。
【００１４】
前記フォルダーボディーケースは、下面が開口した直六面体形状のボディーと、前記ボディー中央部が下面方向に折り曲げ陥没され、該折り曲げ陥没されたところに前記収容ケースが位置する収容部と、前記収容部の中心部分に穿孔され、該孔を介して印刷回路基板が前記液晶表示画面と連結されるようにするための孔と、前記孔の周縁から一方向に所定高さ及び厚さで突出する環状突出部とを有するフォルダー上部ケースと、前記フォルダー上部ケースの開口した下面に縁が結合される下部フォルダーケースとを含む。
【００１５】
前記シャフト部材は、環状リング部と、前記環状リング部の外周縁から一方向に延在する第１環状延長部と、前記環状リング部の内周縁から一方向に延在する第２環状延長部と、前記第２環状延長部上で周縁方向に所定長さで穿孔され、対称に形成される一対の結合孔とを有する上部シャフトと、環状リング部と、前記環状リング部の外周縁から一方向に延在する環状延長部と、前記環状リング部の内周縁の所定部分から一方向に対称に延在する一対の延長部と、該延長部の端部を半径方向に折り曲げ延長される延長部を形成する結合片とを有する下部シャフトを具えており、前記上部シャフトは、前記コンテナ孔を介し、また前記下部シャフトは前記フォルダー上部ケースの孔を介して互いに対向する方向に嵌め込まれ前記下部シャフトの結合片が前記上部シャフトの結合孔に挿入される。
【００１６】
前記上部シャフトの第２環状延長部の直径は、前記コンテナ孔の直径より小さく、前記第１環状延長部の内周面と第２環状延長部の外周面との間の距離は、前記コンテナの環状突出部の厚さより大きく形成される。
【００１７】
前記下部シャフトの環状延長部の内周面とガイド結合片の外周面との間の距離は、前記上部ボディーケースの環状突出部の厚さより大きく形成される。
【００１８】
前記ガイド手段は、前記液晶表示画面収容ケース背面に突出形成されるガイド突起と、前記収容ケースが回転する時移動する前記ガイド突起の移動半径範囲で前記フォルダーボディーケースの上面から下部方向に陥没形成されるガイド溝とを含む。
【００１９】
前記ガイド手段には、前記液晶表示画面の位置に応じて画面に表れる資料を一定方向に表すように位置接地信号を印加する位置接地手段をさらに含む。
【００２０】
前記位置接地手段は、前記ガイド溝に追って移動するガイド突起の移動方向面の各々に弾性設置され、前記印刷回路基板に回路的に連結されるスプリングピンと、前記ガイド溝の両端部に各々対向して設置され、前記ガイド突起の移動完了により前記スプリングピンが接触され、前記印刷回路基板に回路的に連結される接地ポイントとからなる。
【００２１】
前記ガイド手段は、前記収容ケースの回転動作完了時前記液晶表示画面収容ケースを動作完了位置に固定させる固定手段をさらに含む。
【００２２】
前記固定手段は、前記ガイド溝の各端部内壁面から対向するように突出する突出部と、前記ガイド突起が前記ガイド溝の端部に位置する時、前記突出部が挿入されるように前記突出部に対応する形状に前記ガイド突起の接触面に形成される固定溝とを含む。
【００２３】
【発明の実施の形態】
以下、添付する図面を参照しながら本発明の実施の形態を詳細に説明する。
【００２４】
図２は、本発明による回転可能な液晶表示装置を有する移動通信端末器を開けた状態を示す平面図である。
【００２５】
図に示されているように、本発明に係る回転可能な液晶表示装置を有する移動通信端末器は、大きく本体部１０と、フォルダー部１００と、前記本体部１０からフォルダー部１００を開閉させるヒンジ装置３０とから構成される。
【００２６】
前記本体部１０には、番号キー、電源キー、機能キーからなるキーパッド１１及びその最下端に位置するマイク１２を含む。
【００２７】
前記フォルダー部１００は、その最上端にスピーカー２１を含む受話口が位置し、前記受話口の下側にはデータを表示する液晶表示画面（以下、「ＬＣＤ」とも言う）２００を具え、そして、このＬＣＤ２００をユーザによって回転させることができ、好ましくは９０度回転させることができる回転装置を含む。
【００２８】
以下では、前記ＬＣＤ回転装置の構成を以下の図面を参照して詳細に説明する。
【００２９】
図３は、本発明に係る液晶表示装置を含むフォルダー部の分解斜視図であって、図４は、本発明に係る液晶表示装置が組立てられたフォルダー部の断面図である。
【００３０】
図に示されているように、本発明に係る回転可能となるような液晶表示装置を含むフォルダー部１００は、ＬＣＤ２００が内部に収容固定されるＬＣＤ収容ケース３００と、前記ＬＣＤの底面中央部に装着されてそれを支持する中心軸と、前記ＬＣＤ収容ケース３００が中心軸を中心に所定角度程回転可能に設置されるフォルダーボディーケース４００と、前記ＬＣＤ収容ケース３００を前記フォルダーボディーケース４００上で回転可能となるように支持するシャフト部材５００と、前記ＬＣＤ収容ケース３００の底面の片側に備わったガイド突起６１０と、フォルダーボディーケースの上面に形成され、前記ガイド突起に対応するガイド溝６２０とからなり、前記ＬＣＤ収容ケース３００が前記フォルダーボディーケース４００上で回転する時に、案内するガイド手段６００と、前記ＬＣＤ２００の位置に応じてＬＣＤ画面にディスプレーされるデータを横方向に表すように位置接地信号を印加する位置接地手段と、前記ＬＣＤ収容ケース３００の回転動作完了時、それを固定させる固定手段と、前記本体部１０のキーパッド入力信号をＬＣＤ２００に表すように前記ＬＣＤ２００に連結されたフレキシブル印刷回路基板７００とを含む。
【００３１】
以下、前記ＬＣＤ収容ケース３００を図５（ａ）、図５（ｂ）及び図６（ａ）、図６（ｂ）を参照しながらさらに詳細に説明する。
【００３２】
図５（ａ）及び図５（ｂ）は、各々本発明に係る液晶表示装置の収容ケースを構成する上部ケースの表面斜視図及び裏面斜視図であって、図６（ａ）及び図６（ｂ）は、各々本発明に係る液晶表示装置の収容ケースを構成する下部ケースの裏面斜視図及び平面図である。
【００３３】
図に示されているように、ＬＣＤ収容ケース３００は、大きくカバー３１０と、前記カバー３１０と縁面が結合されるコンテナ３２０とからなる。
【００３４】
前記カバー３１０は、組立てられて収容されるＬＣＤ２００のデータが外部から見られるように、その中央部が透明ウィンドウ３１１となっている。
【００３５】
前記コンテナ３２０は、中央部に孔３２１が穿孔され、この孔３２１を介してＬＣＤ２００がフレキシブル印刷回路基板７００と連結される。また、前記孔３２１の周縁から一方向に所定高さ及び厚さで突出する環状突出部３２２が形成されている。
【００３６】
前記コンテナ３２０の背面には、ガイド手段及び位置接地手段の一部構成要素が各々備わるが、これは後で詳細に説明する。
【００３７】
一方、図７（ａ）、図７（ｂ）及び図７（ｃ）は、各々本発明に係るフォルダーボディーケースを構成する上部ボディーケースの表面斜視図、裏面斜視図及び背面図である。図８は、本発明に係るフォルダーボディーケースを構成する下部ボディーケースの表面斜視図である。
【００３８】
図に示されているように、本発明に係るフォルダーボディーケース４００は、大きく上部ボディーケース４１０と、前記上部ボディーケース４１０と縁面が結合される下部ボディーケース４２０とからなる。
【００３９】
前記上部ボディーケース４１０は、図７（ａ）ないし図７（ｃ）のように、下面が開口した直六面体の形状をしたボディー４１１と、前記ボディー４１１の中央部が下面方向に折り曲げ陥没され、その陥没部にＬＣＤ収容ケース３００が位置する収容部４１２と、前記収容部４１２の中心部に穿孔され、それを介してフレキシブルな印刷回路基板７００と前記ＬＣＤ２００とが連結される孔４１３と、前記孔４１３の周縁から一方向に所定高さ及び厚さで突出する環状突出部４１４とからなる。
【００４０】
ここで、前記収容部４１２は、前記ＬＣＤ収容ケース３００の回転半径よりある程度大きく形成されていることが好ましい。
【００４１】
前記下部ボディーケース４２０は、図８のように、前記上部ボディーケース４１０のボディー４１１における開口した下面を閉じるような形状に形成されている。
【００４２】
以下では、前記ＬＣＤ収容ケース３００を前記フォルダーボディーケース４００上で回転可能に支持するシャフト部材５００を図９（ａ）から図９（ｃ）及び図１０（ａ）及び図１０（ｂ）を参照して詳細に説明する。
【００４３】
図９（ａ）は、本発明に係る回転可能な液晶表示装置のシャフト部材を構成する上部シャフトの表面斜視図であり、図９（ｂ）は、図９（ａ）のＶＩＩ−ＶＩＩ線断面図であり、図９（ｃ）は、図９（ａ）のＶＩＩ′―ＶＩＩ′線断面図である。図１０（ａ）は、本発明に係る回転可能な液晶表示装置のシャフト部材を構成する下部シャフトの表面斜視図であり、図１０（ｂ）は、図１０（ａ）のＶＩＩＩ−ＶＩＩＩ線断面図である。
【００４４】
図に示されているように、本発明に係る液晶表示装置を構成するシャフト部材５００は、大きく上部シャフト５１０と下部シャフト５２０とからなる。
【００４５】
前記上部シャフト５１０は、図９（ａ）から図９（ｃ）に示されているように、所定幅を有する環状リング部５１１と、前記環状リング部５１１の外周縁から一方向に所定高さで延在する第１環状延長部５１２と、前記環状リング部５１１の内周縁から一方向に所定高さで延在する第２環状延長部５１３と、前記第２環状延長部５１３の円周面に周縁方向に所定長さで穿孔され、互いに対称に形成されている一対の結合孔５１４とからなる。
【００４６】
ここで、前記第１環状延長部５１２の直径は、収容ケース３００のコンテナ３２０の孔３２１の直径より小さく形成されている。そして、前記第１環状延長部５１２の内周面と第２環状延長部５１３の外周面との間の距離は、前記したコンテナ３２０の環状突出部３２２の厚さより長く形成されている。これは前記上部シャフト５１０がコンテナ３２０上部から孔３２１に挿入される時、環状突出部３２２が第１環状延長部５１２の内周面と第２環状延長部５１３の外周面との間に嵌め込み装着されるようにするためである。
【００４７】
前記下部シャフト５２０は、図１０（ａ）及び図１０（ｂ）に示すように、所定幅を有する環状リング部５２１と、前記環状リング部５２１の外周縁から一方向に所定高さで延在する環状延長部５２２と、一対の結合片５２３とを具えている。一対の結合片は、前記環状リング部５２１の内周縁の所定部分から一方向に延在する垂直延長部５２３ａと、その垂直延長部５２３ａの端部に互いに反対方向に折り曲げた状態で延在する水平延長部５２３ｂとからなり、該水平延長部５２３ｂは、前記の上部シャフトの結合孔５１４に挿入されるようになっている。
【００４８】
ここで、前記環状延長部５２２の内周面とガイド結合片５２３の外周面との間の距離は、前記した上部ボディーケース４１０の環状突出部４１４の厚さより大きくなるように形成されているが、これは前記下部シャフト５２０が上部ボディーケース４１０の背面から孔４１４側に結合される時、環状突出部４１４が環状延長部５２２の内周面とガイド結合片５２３の外周面との間に嵌め込み装着されるようにするためである。
【００４９】
以下では、前記ＬＣＤ収容ケース３００が前記フォルダーボディーケース４００上で回転する時、案内するガイド手段６００と、前記のＬＣＤ２００の位置に応じて画面に表れる資料を横方向に表示するための位置接地信号を印加する位置決定接地手段及び前記ＬＣＤ収容ケースの回転動作が完了した時にＬＣＤ収容ケースを固定させる固定手段を図１１及び図１２を参照しながら説明する。
【００５０】
図１１は、図６（ｂ）のＡ部分を拡大した拡大斜視図であり、図１２は、図７（ｃ）のＢ部分を拡大した拡大平面図である。
【００５１】
まず、ガイド手段６００は、ＬＣＤ収容ケース３００のコンテナ３２０の背面に突出するように形成される中空のガイド突起６１０と、フォルダーボディーケース４００で、上部ボディーケース４１０に前記ケース３００が回転する時に移動するガイド突起６１０の移動半径範囲内において形成され、かつ前記ガイド突起６１０を案内するように上部ボディーケース４１０の収容部４１２下部方向に陥没形成されるガイド溝６２０とからなる。
【００５２】
ここで、前記ガイド溝６２０の形成範囲は、９０度にすることが好ましい。
【００５３】
次いで、位置決定接地手段は、前記したガイド溝６２０に沿って移動するガイド突起６１０の移動方向面に弾性設置され、印刷回路基板７００に回路的に連結される第１及び第２スプリングピン８１０ａ、８１０ｂと、前記ガイド突起６１０の移動により第１または第２スプリングピン８１０ａ、８１０ｂが接触するようにガイド溝６２０の両端部に対向するように各々設置され、前記印刷回路基板７００に回路的に連結される接地ポイント８２０ａとからなる。
【００５４】
一方、固定手段は、前記したガイド溝６２０の各端部内壁面から丸みをつけて突出する突出部９１０ａと、前記ガイド突起６１０がガイド溝６２０の端部に位置する時、前記突出部９１０ａがスライドして挿入するように前記ガイド突起６１０の接触面に丸みをつけ形成される固定溝９２０からなる。
【００５５】
以下、上記のように構成されるディスプレー回転装置の組立動作を説明する。
【００５６】
まず、上部シャフト５１０の第２環状延長部５１３をコンテナ３２０の孔３２１に挿入させる。この場合、前記コンテナ３２０の環状突出部３２２は、第１環状延長部５１２と第２環状延長部５１３との間に位置する。
【００５７】
前記上部シャフト５１０が結合されたコンテナ３２０をフォルダー上部ケース４１０の収容部４１２に位置させた後、前記フォルダー上部ケース４１０の孔４１３を介して下部シャフト５２０を挿入し、前記上部シャフト５１０の各結合孔５１４に下部シャフト５２０の各結合片５２３の延長部５２３ｂを挿入して固定させる。
【００５８】
上記のように組立てられた状態でＬＣＤ２００がコンテナ３２０に収容され、前記コンテナ３２０上部側にカバー３１０を結合させる。そして、前記フォルダー上部ケース４１０の開口した片面側にフォルダー下部ケース４２０を結合させて組立を完了する。
【００５９】
ここで、前記ＬＣＤ２００は、前記フォルダー上部ケース４１０の孔４１３及びコンテナ３２０の孔３２１を介してフレキシブルな印刷回路基板７００と回路的に連結され、またフォルダー上部ケース４１０背面に設置されたスプリングピン８１０ａ、８１０ｂ及び接地ポイント８２０ａ、８２０ｂも前記印刷回路基板７００と回路的に連結される。
【００６０】
以下では、上記のように回転可能なＬＣＤを有する携帯電話の動作を説明する。
【００６１】
移動通信端末器のユーザは、平常時液晶表示画面を図１のような状態で使用し、多量の情報を送受信したり動画などを見るためにＬＣＤを一般モニターやテレビ画面と同様の状態で利用しようとする時、ユーザはＬＣＤ収容ケース３００をシャフト部材６００を軸にして図２の矢印方向に回転させる。
【００６２】
前記ＬＣＤ収容ケース３００が回転されることにより、前記ケース３００におけるコンテナ３２０の背面に形成されたガイド突起６１０がフォルダー上部ケース４１０のガイド溝６２０に沿って移動する。
【００６３】
前記液晶表示装置収容ケース３００が、図２のような状態に回転動作が完了すれば、ガイド溝６２０の突出部９１０ａがガイド突起６１０の固定溝９２０にスライドして挿入され、前記ケース３００は堅固に固定される。
【００６４】
これと同時に、前記ガイド突起６１０の片側スプリングピン８１０ａがそれに対向する接地ポイント８２０ａに接地されることによって、画面上縦になっている資料が横に画面に表れることになる。
【００６５】
作業が終了しＬＣＤを復帰させる場合、前記した過程と逆に９０度回転させ、この時ガイド溝６２０の突出部９１０ａがガイド突起６１０の固定溝９２０にスライドして挿入され、前記ケース３００は堅固に固定される。
【００６６】
これと同時に、前記ガイド突起６１０の他側のスプリングピン８１０ｂがそれに対向する接地ポイント８２０ｂに接地されることによって、画面にデータらが横に表れるように転換させる。
【００６７】
ここで、液晶表示画面の底部に連結されるフレキシブル印刷回路基板は、シャフト部材６００の中空を介して組立てられることにより、ＬＣＤ収容ケース３００が回転してもフレキシブルに若干歪むために、強度には全く影響を与えない。
【００６８】
なお、本発明の技術的範囲は前述の本実施の形態に限られるものではない。本発明の技術思想から逸脱しない範囲内で様々の変更、改善を行なうことが可能であり、それらも本発明の技術的範囲に属する。
【００６９】
【発明の効果】
上述したように本発明による回転可能な液晶表示装置を有する折り畳み式携帯用移動通信端末器は、平常時移動通信端末器に使用し、多量のデータの伝送が要求される時や動画のように横幅の広い画面が必要となる場合ＬＣＤを回転させて設置することにより視覚的に便利となるようにした効果がある。
【００７０】
また、本発明は、ＬＣＤを幅より横長さを大きくするために、移動通信端末器のサイズを大きくしなくても幅より横長さが大きい液晶表示画面を提供できるので、液晶表示画面を大きくした状態で、小型化できる効果がある。
【図面の簡単な説明】
【図１】従来の通常の液晶表示装置が設置された移動通信端末器を開けた状態を示す平面図である。
【図２】本発明に係る回転可能な液晶表示装置を有する移動通信端末器を開けた状態を示す平面図である。
【図３】本発明に係る液晶表示装置を含むフォルダー部の分解斜視図である。
【図４】本発明に係る液晶表示装置が組立てられたフォルダー部の断面図である。
【図５】（ａ）は、本発明に係る液晶表示装置の収容ケースを構成する上部ケースの表面斜視図であり、（ｂ）は裏面斜視図である。
【図６】（ａ）は、本発明に係る液晶表示装置の収容ケースを構成する下部ケースの裏面斜視図であり、（ｂ）は表面斜視図である。
【図７】（ａ）は本発明に係るフォルダーボディーケースを構成する上部ボディーケースの表面斜視図であり、（ｂ）は裏面斜視図であり、（ｃ）は背面図である。
【図８】本発明に係るフォルダーボディーケースを構成する下部ボディーケースの表面斜視図である。
【図９】（ａ）は、本発明に係る液晶表示装置のシャフト部材を構成する上部シャフトの表面斜視図であり、（ｂ）は、（ａ）のＶＩＩ−ＶＩＩ線断面図であり、（ｃ）は、（ａ）のＶＩＩ′−ＶＩＩ′線断面図である。
【図１０】  （ａ）は本発明に係る液晶表示装置のシャフト部材を構成する下部シャフトの表面斜視図であり、（ｂ）は（ａ）のＶＩＩＩ−ＶＩＩＩ線断面図である。
【図１１】図６（ｂ）のＡ部を拡大した拡大斜視図である。
【図１２】図７（ｂ）のＢ部を拡大した拡大平面図である。
【符号の説明】
１００      フォルダー部
２００      ＬＣＤ
３００      ＬＣＤ収容ケース
３１０      カバー
３２０      コンテナ
４００      フォルダーボディーケース
４１０      上部ボディーケース
４１１      ボディー
４１２      収容部
４２０      下部ボディーケース
４２１      フォルダー下部ケース
５００      シャフト部材
５１０      上部シャフト
５１１、５２１    環状リング部
５１２、５１３、５２２      環状延長部
５１４      結合孔
５２０      下部シャフト
５２３      結合片
６００      ガイド手段
６１０      ガイド突起
６２０      ガイド溝
７００      印刷回路基板
８１０ａ、８１０ｂ      スプリングピン
８２０ａ      接地ポイント
９１０ａ      突出部
９２０      固定溝
【図１】
0004113738.tif 000002
【図２】
0004113738.tif 000003
【図３】
0004113738.tif 000004
【図４】
0004113738.tif 000005
【図５】
0004113738.tif 000006
【図６】
0004113738.tif 000007
【図７】
0004113738.tif 000008
【図８】
0004113738.tif 000009
【図９】
0004113738.tif 000010
【図１０】
0004113738.tif 000011
【図１１】
0004113738.tif 000012
【図１２】
0004113738.tif 000013